【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】  コントロールプレーン制御装置と複数のユーザプレーン制御装置とを有する移動通信システムの制御方法であって、
前記複数のユーザプレーン制御装置が前記複数のユーザプレーン制御装置の状態情報を前記コントロールプレーン制御装置に報告する工程と、
前記コントロールプレーン制御装置が前記状態情報を記憶装置に記憶する工程と、を含むことを特徴とする移動通信システムの制御方法。
【請求項２】  請求項１に記載の移動通信システムの制御方法であって、
前記複数のユーザプレーン制御装置が前記コントロールプレーン制御装置から物理的に分離されていることを特徴とする移動通信システムの制御方法。
【請求項３】  請求項１に記載の移動通信システムの制御方法であって、
前記状態情報が前記複数のユーザプレーン制御装置内のトラヒック情報を含むことを特徴とする移動通信システムの制御方法。
【請求項４】  請求項１に記載の移動通信システムの制御方法であって、
前記状態情報が前記複数のユーザプレーン制御装置から外部に向けられた回線の帯域情報を含むことを特徴とする移動通信システムの制御方法。
【請求項５】  請求項１に記載の移動通信システムの制御方法であって、
前記状態情報が前記複数のユーザプレーン制御装置内で検出されたアラーム情報を含むことを特徴とする移動通信システムの制御方法。
【請求項６】  請求項１に記載の移動通信システムの制御方法であって、
前記複数のユーザプレーン制御装置が、前記コントロールプレーン制御装置からの前記状態情報の送信要求に基づいて、前記状態情報を前記コントロールプレーン制御装置に報告することを特徴とする移動通信システムの制御方法。
【請求項７】  請求項１に記載の移動通信システムの制御方法であって、
前記複数のユーザプレーン制御装置が、一定の周期で、前記状態情報を前記コントロールプレーン制御装置に報告することを特徴とする移動通信システムの制御方法。
【請求項８】  請求項１に記載の移動通信システムの制御方法であって、
前記複数のユーザプレーン制御装置が、前記状態情報に変化があったときに、前記状態情報を前記コントロールプレーン制御装置に報告することを特徴とする移動通信システムの制御方法。
【請求項９】  コントロールプレーン制御装置と、第１と第２のユーザプレーン制御装置と、前記第１のユーザプレーン制御装置に帰属する第１の無線基地局と、前記第２のユーザプレーン制御装置に帰属する第２の無線基地局と、を有する移動通信システムの制御方法であって、
前記第１のユーザプレーン制御装置は前記第１のユーザプレーン制御装置の第１の状態情報を前記コントロールプレーン制御装置に報告する工程と、
前記第２のユーザプレーン制御装置は前記第２のユーザプレーン制御装置の第２の状態情報を前記コントロールプレーン制御装置に報告する工程と、
前記コントロールプレーン制御装置は前記第１の状態情報と前記第２の状態情報を記憶装置に記憶する工程と、
前記第１のユーザプレーン制御装置との間で第１の無線リンクが張られている前記第１の無線基地局の第１のエリアに位置する移動機が前記第２の無線基地局の第２のエリアに移動した場合に、前記コントロールプレーン制御装置が前記第２の状態情報を前記記憶装置から読み出す工程と、
前記コントロールプレーン制御装置が前記第２の状態情報に基づいて前記第２のユーザプレーン制御装置にて第２の無線リンクが追加可能であるかを判断する工程と、を有することを特徴とする移動通信システムの制御方法。
【請求項１０】  請求項９に記載の移動通信システムの制御方法であって、さらに、
前記コントロールプレーン制御装置が第１のユーザプレーン制御装置を経由して前記第２のユーザプレーン制御装置に対して、前記第２の無線基地局との間に前記第２の無線リンクを追加するよう指示する工程を有することを特徴とする移動通信システムの制御方法。
【請求項１１】  ユーザプレーン制御装置と複数のコントロールプレーン制御装置とを有する移動通信システムの制御方法であって、
前記ユーザプレーン制御装置が前記ユーザプレーン制御装置の状態情報を前記複数のコントロールプレーン制御装置に報告する工程と、
前記複数のコントロールプレーン制御装置が前記状態情報を前記複数のコントロールプレーン制御装置のそれぞれの記憶装置に記憶する工程と、を含むことを特徴とする移動通信システムの制御方法。
【請求項１２】  移動通信システムであって、
コントロールプレーン制御装置と、
複数のユーザプレーン制御装置と、を有し、
前記複数のユーザプレーン制御装置が前記複数のユーザプレーン制御装置の状態情報を前記コントロールプレーン制御装置に報告し、
前記コントロールプレーン制御装置が前記状態情報を記憶装置に記憶することを特徴とする移動通信システム。
【請求項１３】  請求項１２に記載の移動通信システムであって、
前記複数のユーザプレーン制御装置が前記コントロールプレーン制御装置から物理的に分離されていることを特徴とする移動通信システム。
【請求項１４】  請求項１２に記載の移動通信システムであって、
前記状態情報が前記複数のユーザプレーン制御装置内のトラヒック情報を含むことを特徴とする移動通信システム。
【請求項１５】  請求項１２に記載の移動通信システムであって、
前記状態情報が前記複数のユーザプレーン制御装置から外部に向けられた回線の帯域情報を含むことを特徴とする移動通信システム。
【請求項１６】  請求項１２に記載の移動通信システムであって、
前記状態情報が前記複数のユーザプレーン制御装置内で検出されたアラーム情報を含むことを特徴とする移動通信システム。
【請求項１７】  請求項１２に記載の移動通信システムであって、
前記複数のユーザプレーン制御装置が、前記コントロールプレーン制御装置からの前記状態情報の送信要求に基づいて、前記状態情報を前記コントロールプレーン制御装置に報告することを特徴とする移動通信システム。
【請求項１８】  請求項１２に記載の移動通信システムであって、
前記複数のユーザプレーン制御装置が、一定の周期で、前記状態情報を前記コントロールプレーン制御装置に報告することを特徴とする移動通信システム。
【請求項１９】  請求項１２に記載の移動通信システムであって、
前記複数のユーザプレーン制御装置が、前記状態情報に変化があったときに、前記状態情報を前記コントロールプレーン制御装置に報告することを特徴とする移動通信システム。
【請求項２０】  移動通信システムであって、
コントロールプレーン制御装置と、
第１と第２のユーザプレーン制御装置と、
前記第１のユーザプレーン制御装置に帰属する第１の無線基地局と、
前記第２のユーザプレーン制御装置に帰属する第２の無線基地局と、を有し、
前記第１のユーザプレーン制御装置は前記第１のユーザプレーン制御装置の第１の状態情報を前記コントロールプレーン制御装置に報告し、前記第２のユーザプレーン制御装置は前記第２のユーザプレーン制御装置の第２の状態情報を前記コントロールプレーン制御装置に報告し、
前記コントロールプレーン制御装置は前記第１の状態情報と前記第２の状態情報を記憶装置に記憶し、
前記第１のユーザプレーン制御装置との間で第１の無線リンクが張られている前記第１の無線基地局の第１のエリアに位置する移動機が前記第２の無線基地局の第２のエリアに移動した場合に、前記コントロールプレーン制御装置が前記第２の状態情報を前記記憶装置から読み出し、
前記コントロールプレーン制御装置が前記第２の状態情報に基づいて前記第２のユーザプレーン制御装置にて第２の無線リンクが追加可能であるかを判断することを特徴とする移動通信システム。
【請求項２１】  請求項２０に記載の移動通信システムであって、さらに、
前記コントロールプレーン制御装置が第１のユーザプレーン制御装置を経由して前記第２のユーザプレーン制御装置に対して、前記第２の無線基地局との間に前記第２の無線リンクを追加するよう指示することを特徴とする移動通信システム。
【請求項２２】  移動通信システムであって、
ユーザプレーン制御装置と、
複数のコントロールプレーン制御装置と、を有し、
前記ユーザプレーン制御装置が前記ユーザプレーン制御装置の状態情報を前記複数のコントロールプレーン制御装置に報告し、
前記複数のコントロールプレーン制御装置が前記状態情報を前記複数のコントロールプレーン制御装置のそれぞれの記憶装置に記憶することを特徴とする移動通信システム。
【請求項２３】  移動通信システムであって、
移動機と、
コントロールプレーン制御装置と、
複数のユーザプレーン制御装置と、を有し、
前記複数のユーザプレーン制御装置が前記複数のユーザプレーン制御装置の状態情報を前記コントロールプレーン制御装置に報告し、
前記コントロールプレーン制御装置が前記状態情報を記憶装置に記憶することを特徴とする移動通信システム。
【請求項２４】  移動通信システムであって、
移動機と、
ユーザプレーン制御装置と、
複数のコントロールプレーン制御装置と、を有し、
前記ユーザプレーン制御装置が前記ユーザプレーン制御装置の状態情報を前記複数のコントロールプレーン制御装置に報告し、
前記複数のコントロールプレーン制御装置が前記状態情報を前記複数のコントロールプレーン制御装置のそれぞれの記憶装置に記憶することを特徴とする移動通信システム。
【手続補正２】
【補正対象書類名】明細書
【補正対象項目名】００１５
【補正方法】変更
【補正の内容】
【００１５】
【課題を解決するための手段】
上記目的を達成するために本発明の移動通信システムの制御方法は、
コントロールプレーン制御装置と複数のユーザプレーン制御装置とを有する移動通信システムの制御方法であって、
前記複数のユーザプレーン制御装置が前記複数のユーザプレーン制御装置の状態情報を前記コントロールプレーン制御装置に報告する工程と、
前記コントロールプレーン制御装置が前記状態情報を記憶装置に記憶する工程と、を含むことを特徴とする。
また、前記複数のユーザプレーン制御装置が前記コントロールプレーン制御装置から物理的に分離されていることを特徴とする。
【手続補正３】
【補正対象書類名】明細書
【補正対象項目名】００１６
【補正方法】変更
【補正の内容】
【００１６】
また、前記状態情報が前記複数のユーザプレーン制御装置内のトラヒック情報を含むことを特徴とする。
【手続補正４】
【補正対象書類名】明細書
【補正対象項目名】００１７
【補正方法】変更
【補正の内容】
【００１７】
また、前記状態情報が前記複数のユーザプレーン制御装置から外部に向けられた回線の帯域情報を含むことを特徴とする。
【手続補正５】
【補正対象書類名】明細書
【補正対象項目名】００１８
【補正方法】変更
【補正の内容】
【００１８】
また、前記状態情報が前記複数のユーザプレーン制御装置内で検出されたアラーム情報を含むことを特徴とする。
【手続補正６】
【補正対象書類名】明細書
【補正対象項目名】００１９
【補正方法】変更
【補正の内容】
【００１９】
また、前記複数のユーザプレーン制御装置が、前記コントロールプレーン制御装置からの前記状態情報の送信要求に基づいて、前記状態情報を前記コントロールプレーン制御装置に報告することを特徴とする。
【手続補正７】
【補正対象書類名】明細書
【補正対象項目名】００２０
【補正方法】変更
【補正の内容】
【００２０】
また、前記複数のユーザプレーン制御装置が、一定の周期で、前記状態情報を前記コントロールプレーン制御装置に報告することを特徴とする。
【手続補正８】
【補正対象書類名】明細書
【補正対象項目名】００２１
【補正方法】変更
【補正の内容】
【００２１】
また、前記複数のユーザプレーン制御装置が、前記状態情報に変化があったときに、前記状態情報を前記コントロールプレーン制御装置に報告することを特徴とする。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】変更
【補正の内容】
【００２４】
また、コントロールプレーン制御装置と、第１と第２のユーザプレーン制御装置と、前記第１のユーザプレーン制御装置に帰属する第１の無線基地局と、前記第２のユーザプレーン制御装置に帰属する第２の無線基地局と、を有する移動通信システムの制御方法であって、
前記第１のユーザプレーン制御装置は前記第１のユーザプレーン制御装置の第１の状態情報を前記コントロールプレーン制御装置に報告する工程と、
前記第２のユーザプレーン制御装置は前記第２のユーザプレーン制御装置の第２の状態情報を前記コントロールプレーン制御装置に報告する工程と、
前記コントロールプレーン制御装置は前記第１の状態情報と前記第２の状態情報を記憶装置に記憶する工程と、
前記第１のユーザプレーン制御装置との間で第１の無線リンクが張られている前記第１の無線基地局の第１のエリアに位置する移動機が前記第２の無線基地局の第２のエリアに移動した場合に、前記コントロールプレーン制御装置が前記第２の状態情報を前記記憶装置から読み出す工程と、
前記コントロールプレーン制御装置が前記第２の状態情報に基づいて前記第２のユーザプレーン制御装置にて第２の無線リンクが追加可能であるかを判断する工程と、を有することを特徴とする。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】変更
【補正の内容】
【００２６】
さらに、前記コントロールプレーン制御装置が第１のユーザプレーン制御装置を経由して前記第２のユーザプレーン制御装置に対して、前記第２の無線基地局との間に前記第２の無線リンクを追加するよう指示する工程を有することを特徴とする。
また、ユーザプレーン制御装置と複数のコントロールプレーン制御装置とを有する移動通信システムの制御方法であって、
前記ユーザプレーン制御装置が前記ユーザプレーン制御装置の状態情報を前記複数のコントロールプレーン制御装置に報告する工程と、
前記複数のコントロールプレーン制御装置が前記状態情報を前記複数のコントロールプレーン制御装置のそれぞれの記憶装置に記憶する工程と、を含むことを特徴とする
【手続補正１４】
【補正対象書類名】明細書
【補正対象項目名】００２７
【補正方法】変更
【補正の内容】
【００２７】
上記目的を達成するために本発明の移動通信システムは、
移動通信システムであって、
コントロールプレーン制御装置と、
複数のユーザプレーン制御装置と、を有し、
前記複数のユーザプレーン制御装置が前記複数のユーザプレーン制御装置の状態情報を前記コントロールプレーン制御装置に報告し、
前記コントロールプレーン制御装置が前記状態情報を記憶装置に記憶することを特徴とする。
また、前記複数のユーザプレーン制御装置が前記コントロールプレーン制御装置から物理的に分離されていることを特徴とする。
【手続補正１５】
【補正対象書類名】明細書
【補正対象項目名】００２８
【補正方法】変更
【補正の内容】
【００２８】
また、前記状態情報が前記複数のユーザプレーン制御装置内のトラヒック情報を含むことを特徴とする。
【手続補正１６】
【補正対象書類名】明細書
【補正対象項目名】００２９
【補正方法】変更
【補正の内容】
【００２９】
また、前記状態情報が前記複数のユーザプレーン制御装置から外部に向けられた回線の帯域情報を含むことを特徴とする。
【手続補正１７】
【補正対象書類名】明細書
【補正対象項目名】００３０
【補正方法】変更
【補正の内容】
【００３０】
また、前記状態情報が前記複数のユーザプレーン制御装置内で検出されたアラーム情報を含むことを特徴とする
【手続補正１８】
【補正対象書類名】明細書
【補正対象項目名】００３１
【補正方法】変更
【補正の内容】
【００３１】
また、前記複数のユーザプレーン制御装置が、前記コントロールプレーン制御装置からの前記状態情報の送信要求に基づいて、前記状態情報を前記コントロールプレーン制御装置に報告することを特徴とする。
【手続補正１９】
【補正対象書類名】明細書
【補正対象項目名】００３２
【補正方法】変更
【補正の内容】
【００３２】
また、前記複数のユーザプレーン制御装置が、一定の周期で、前記状態情報を前記コントロールプレーン制御装置に報告することを特徴とする。
【手続補正２０】
【補正対象書類名】明細書
【補正対象項目名】００３３
【補正方法】変更
【補正の内容】
【００３３】
前記複数のユーザプレーン制御装置が、前記状態情報に変化があったときに、前記状態情報を前記コントロールプレーン制御装置に報告することを特徴とする。
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】変更
【補正の内容】
【００３６】
また、移動通信システムであって、
コントロールプレーン制御装置と、
第１と第２のユーザプレーン制御装置と、
前記第１のユーザプレーン制御装置に帰属する第１の無線基地局と、
前記第２のユーザプレーン制御装置に帰属する第２の無線基地局と、を有し、
前記第１のユーザプレーン制御装置は前記第１のユーザプレーン制御装置の第１の状態情報を前記コントロールプレーン制御装置に報告し、前記第２のユーザプレーン制御装置は前記第２のユーザプレーン制御装置の第２の状態情報を前記コントロールプレーン制御装置に報告し、
前記コントロールプレーン制御装置は前記第１の状態情報と前記第２の状態情報を記憶装置に記憶し、
前記第１のユーザプレーン制御装置との間で第１の無線リンクが張られている前記第１の無線基地局の第１のエリアに位置する移動機が前記第２の無線基地局の第２のエリアに移動した場合に、前記コントロールプレーン制御装置が前記第２の状態情報を前記記憶装置から読み出し、
前記コントロールプレーン制御装置が前記第２の状態情報に基づいて前記第２のユーザプレーン制御装置にて第２の無線リンクが追加可能であるかを判断することを特徴とする。
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】変更
【補正の内容】
【００３８】
また、前記コントロールプレーン制御装置が第１のユーザプレーン制御装置を経由して前記第２のユーザプレーン制御装置に対して、前記第２の無線基地局との間に前記第２の無線リンクを追加するよう指示することを特徴とする。
また、移動通信システムであって、
ユーザプレーン制御装置と、
複数のコントロールプレーン制御装置と、を有し、
前記ユーザプレーン制御装置が前記ユーザプレーン制御装置の状態情報を前記複数のコントロールプレーン制御装置に報告し、
前記複数のコントロールプレーン制御装置が前記状態情報を前記複数のコントロールプレーン制御装置のそれぞれの記憶装置に記憶することを特徴とする。
また、移動通信システムであって、
移動機と、
コントロールプレーン制御装置と、
複数のユーザプレーン制御装置と、を有し、
前記複数のユーザプレーン制御装置が前記複数のユーザプレーン制御装置の状態情報を前記コントロールプレーン制御装置に報告し、
前記コントロールプレーン制御装置が前記状態情報を記憶装置に記憶することを特徴とする。
また、移動通信システムであって、
移動機と、
ユーザプレーン制御装置と、
複数のコントロールプレーン制御装置と、を有し、
前記ユーザプレーン制御装置が前記ユーザプレーン制御装置の状態情報を前記複数のコントロールプレーン制御装置に報告し、
前記複数のコントロールプレーン制御装置が前記状態情報を前記複数のコントロールプレーン制御装置のそれぞれの記憶装置に記憶することを特徴とする。
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】削除
【補正の内容】
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】削除
【補正の内容】
【手続補正３１】
【補正対象書類名】明細書
【補正対象項目名】００４４
【補正方法】削除
【補正の内容】
【手続補正３２】
【補正対象書類名】明細書
【補正対象項目名】００４５
【補正方法】削除
【補正の内容】
【手続補正３３】
【補正対象書類名】明細書
【補正対象項目名】００４６
【補正方法】削除
【補正の内容】
【手続補正３４】
【補正対象書類名】明細書
【補正対象項目名】００４７
【補正方法】削除
【補正の内容】
【手続補正３５】
【補正対象書類名】明細書
【補正対象項目名】００４８
【補正方法】削除
【補正の内容】
【手続補正３６】
【補正対象書類名】明細書
【補正対象項目名】００４９
【補正方法】削除
【補正の内容】
【手続補正３７】
【補正対象書類名】明細書
【補正対象項目名】００５０
【補正方法】削除
【補正の内容】
【手続補正３８】
【補正対象書類名】明細書
【補正対象項目名】００５１
【補正方法】削除
【補正の内容】
【手続補正３９】
【補正対象書類名】明細書
【補正対象項目名】００５２
【補正方法】削除
【補正の内容】
【手続補正４０】
【補正対象書類名】明細書
【補正対象項目名】００５３
【補正方法】削除
【補正の内容】
【手続補正４１】
【補正対象書類名】明細書
【補正対象項目名】００５４
【補正方法】削除
【補正の内容】
【手続補正４２】
【補正対象書類名】明細書
【補正対象項目名】００５５
【補正方法】削除
【補正の内容】
【手続補正４３】
【補正対象書類名】明細書
【補正対象項目名】００５６
【補正方法】削除
【補正の内容】
【手続補正４４】
【補正対象書類名】明細書
【補正対象項目名】００５７
【補正方法】削除
【補正の内容】
【手続補正４５】
【補正対象書類名】明細書
【補正対象項目名】００５８
【補正方法】削除
【補正の内容】
【手続補正４６】
【補正対象書類名】明細書
【補正対象項目名】００５９
【補正方法】削除
【補正の内容】
【手続補正４７】
【補正対象書類名】明細書
【補正対象項目名】００６０
【補正方法】削除
【補正の内容】
【手続補正４８】
【補正対象書類名】明細書
【補正対象項目名】００６１
【補正方法】削除
【補正の内容】
【手続補正４９】
【補正対象書類名】明細書
【補正対象項目名】００６２
【補正方法】削除
【補正の内容】